(57)【要約】  ワイヤレス通信の方法は、第２のサウンディング基準信号（ＳＲＳ）が第１のＳＲＳと同じタイプであり得るとき、および第１のＳＲＳと第２のＳＲＳの両方が同じセル中で送信され得るとき、第１のＳＲＳと第２のＳＲＳとの間の衝突をどのように処理するかを判断することを含む。本方法はまた、ＳＲＳのための受信した第１および第２の構成に基づいて第１のＳＲＳと第２のＳＲＳとを送信することを含む。第１の構成は、第２の構成の第２のＵＥ固有セル識別情報とは異なる第１のＵＥ固有セル識別情報、および／または第２の構成の第２の電力オフセットとは異なる第１の電力オフセットを含む。
2015512580.tif 000002
【特許請求の範囲】
【請求項１】
ワイヤレス通信の方法であって、前記方法は、
第１のサウンディング基準信号（ＳＲＳ）のための第１の構成を受信することと、
第２のＳＲＳのための第２の構成を受信することと、前記第２のＳＲＳが、前記第１のＳＲＳと同じタイプであり、同じセル中で送信される、
前記第１のＳＲＳと前記第２のＳＲＳとの間の衝突をどのように処理するかを判断することと
を備える。
【請求項２】
前記第１のＳＲＳおよび前記第２のＳＲＳが周期的なＳＲＳ送信である、請求項１に記載の方法。
【請求項３】
前記第１のＳＲＳおよび前記第２のＳＲＳが非周期的なＳＲＳ送信である、請求項１に記載の方法。
【請求項４】
前記第１のＳＲＳがアップリンク送信を管理するためのものであり、前記第２のＳＲＳがダウンリンク送信を管理するためのものである、請求項１に記載の方法。
【請求項５】
前記第１の構成がアンテナポートの第１の数を備え、前記第２の構成がアンテナポートの第２の数を備える、請求項１に記載の方法。
【請求項６】
前記第１の構成がアンテナポートの第１の定義を備え、前記第２の構成がアンテナポートの第２の定義を備える、請求項１に記載の方法。
【請求項７】
アンテナポートの前記第１の定義およびアンテナポートの前記第２の定義が少なくとも１つの共有されたアンテナポートを含む、請求項６に記載の方法。
【請求項８】
前記判断することが、前記衝突を誤構成として扱うことを備える、請求項１に記載の方法。
【請求項９】
前記判断することが、前記第１のＳＲＳおよび前記第２のＳＲＳの目的、前記第１のＳＲＳおよび前記第２のＳＲＳのプロパティ、ユーザ機器（ＵＥ）の能力、またはそれらの組合せのうちの１つまたは複数に基づいて、前記第１の構成または前記第２の構成を優先順位付けすることを備える、請求項１に記載の方法。
【請求項１０】
サブフレーム中で前記第１の構成を用いて前記第１のＳＲＳを送信することと、
前記第１の構成が前記第２の構成と直交するとき、前記サブフレーム中で前記第２の構成を用いて前記第２のＳＲＳを送信することと
をさらに備える、請求項１に記載の方法。
【請求項１１】
前記第１の構成を用いて前記第１のＳＲＳを送信することと、
前記第１のＳＲＳと前記第２のＳＲＳがサイクリックシフトによって区別されるとき、前記第２の構成を用いて前記第２のＳＲＳを送信することと
をさらに備える、請求項１に記載の方法。
【請求項１２】
前記判断することが各ＳＲＳ送信について行われる、請求項１に記載の方法。
【請求項１３】
前記判断することが各アンテナポートについて行われる、請求項１に記載の方法。
【請求項１４】
ワイヤレス通信の方法であって、前記方法は、
第１のサウンディング基準信号（ＳＲＳ）のための第１の構成を受信することと、
第２のＳＲＳのための第２の構成を受信することと、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信することと
を備える。
【請求項１５】
各ＵＥセル固有識別情報が、構成されたアンテナポートに依存する、請求項１４に記載の方法。
【請求項１６】
前記第１の構成が周期的なＳＲＳ送信に対応し、前記第２の構成が非周期的なＳＲＳ送信に対応する、請求項１４に記載の方法。
【請求項１７】
前記第１の構成が、ダウンリンク制御情報（ＤＣＩ）フォーマット、ＤＣＩフォーマット中の非周期的なＳＲＳパラメータ、制御チャネルのタイプ、またはそれらの組合せのうちの１つまたは複数に基づく非周期的なＳＲＳ構成を備える、請求項１４に記載の方法。
【請求項１８】
制御チャネルの前記タイプが、レガシー制御チャネル、異なるリソース領域を利用する新しい制御チャネル、またはそれらの組合せのうちの１つまたは複数をさらに備える、請求項１７に記載の方法。
【請求項１９】
前記第２の構成が、ダウンリンク制御情報（ＤＣＩ）フォーマットに基づく非周期的なＳＲＳ構成、非周期的なＳＲＳパラメータ、制御チャネルのタイプ、またはそれらの組合せのうちの１つまたは複数を備える、請求項１４に記載の方法。
【請求項２０】
ワイヤレス通信のための装置であって、前記装置は、
第１のサウンディング基準信号（ＳＲＳ）のための第１の構成を受信するための手段と、
第２のＳＲＳのための第２の構成を受信するための手段と、前記第２のＳＲＳが、前記第１のＳＲＳと同じタイプであり、同じセル中で送信される、
前記第１のＳＲＳと前記第２のＳＲＳとの間の衝突をどのように処理するかを判断するための手段と
を備える。
【請求項２１】
ワイヤレス通信のための装置であって、前記装置は、
第１のサウンディング基準信号（ＳＲＳ）のための第１の構成を受信するための手段と、
第２のＳＲＳのための第２の構成を受信するための手段と、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信するための手段と
を備える。
【請求項２２】
ワイヤレス通信のためのコンピュータプログラム製品であって、前記コンピュータプログラム製品が、
プログラムコードを記録した非一時的コンピュータ可読媒体を備え、前記プログラムコードが、
第１のサウンディング基準信号（ＳＲＳ）のための第１の構成を受信するためのプログラムコードと、
第２のＳＲＳのための第２の構成を受信するためのプログラムコードと、前記第２のＳＲＳが、前記第１のＳＲＳと同じタイプであり、同じセル中で送信される、
前記第１のＳＲＳと前記第２のＳＲＳとの間の衝突をどのように処理するかを判断するためのプログラムコードと
を備える。
【請求項２３】
ワイヤレス通信のためのコンピュータプログラム製品であって、前記コンピュータプログラム製品が、
プログラムコードを記録した非一時的コンピュータ可読媒体を備え、前記プログラムコードが、
第１のサウンディング基準信号（ＳＲＳ）のための第１の構成を受信するためのプログラムコードと、
第２のＳＲＳのための第２の構成を受信するためのプログラムコードと、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信するためのプログラムコードと
を備える。
【請求項２４】
メモリと、
前記メモリに結合された少なくとも１つのプロセッサと、前記少なくとも１つのプロセッサは、
第１のサウンディング基準信号（ＳＲＳ）のための第１の構成を受信することと、
第２のＳＲＳのための第２の構成を受信することと、前記第２のＳＲＳが、前記第１のＳＲＳと同じタイプであり、同じセル中で送信される、
前記第１のＳＲＳと前記第２のＳＲＳとの間の衝突をどのように処理するかを判断することと
を行うように構成される、
を備える、ワイヤレス通信のための装置。
【請求項２５】
前記第１のＳＲＳおよび前記第２のＳＲＳが周期的なＳＲＳ送信である、請求項２４に記載の装置。
【請求項２６】
前記第１のＳＲＳおよび前記第２のＳＲＳが非周期的なＳＲＳ送信である、請求項２４に記載の装置。
【請求項２７】
前記第１のＳＲＳがアップリンク送信を管理するためのものであり、前記第２のＳＲＳがダウンリンク送信を管理するためのものである、請求項２４に記載の装置。
【請求項２８】
前記第１の構成がアンテナポートの第１の数を備え、前記第２の構成がアンテナポートの第２の数を備える、請求項２４に記載の装置。
【請求項２９】
前記第１の構成がアンテナポートの第１の定義を備え、前記第２の構成がアンテナポートの第２の定義を備える、請求項２４に記載の装置。
【請求項３０】
アンテナポートの前記第１の定義およびアンテナポートの前記第２の定義が少なくとも１つの共有されたアンテナポートを含む、請求項２９に記載の装置。
【請求項３１】
前記少なくとも１つのプロセッサが、前記衝突を誤構成として扱うようにさらに構成される、請求項２４に記載の装置。
【請求項３２】
前記少なくとも１つのプロセッサが、前記第１のＳＲＳおよび前記第２のＳＲＳの目的、前記第１のＳＲＳおよび前記第２のＳＲＳのプロパティ、ユーザ機器（ＵＥ）の能力、またはそれらの組合せのうちの１つまたは複数に基づいて、前記第１の構成または前記第２の構成を優先順位付けするようにさらに構成される、請求項２４に記載の装置。
【請求項３３】
前記少なくとも１つのプロセッサが、
サブフレーム中で前記第１の構成を用いて前記第１のＳＲＳを送信することと、
前記第１の構成が前記第２の構成と直交するとき、前記サブフレーム中で前記第２の構成を用いて前記第２のＳＲＳを送信することと
を行うようにさらに構成される、請求項２４に記載の装置。
【請求項３４】
前記少なくとも１つのプロセッサが、
前記第１の構成を用いて前記第１のＳＲＳを送信することと、
前記第１のＳＲＳと前記第２のＳＲＳがサイクリックシフトによって区別されるとき、前記第２の構成を用いて前記第２のＳＲＳを送信することと
を行うようにさらに構成される、請求項２４に記載の装置。
【請求項３５】
前記少なくとも１つのプロセッサが、各ＳＲＳ送信について前記衝突をどのように処理するかを判断するようにさらに構成される、請求項２４に記載の装置。
【請求項３６】
前記少なくとも１つのプロセッサが、各アンテナポートについて前記衝突をどのように処理するかを判断するようにさらに構成される、請求項２４に記載の装置。
【請求項３７】
メモリと、
前記メモリに結合された少なくとも１つのプロセッサと、前記少なくとも１つのプロセッサは、
第１のサウンディング基準信号（ＳＲＳ）のための第１の構成を受信することと、
第２のＳＲＳのための第２の構成を受信することと、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信することと
を行うように構成される、
を備える、ワイヤレス通信のための装置。
【請求項３８】
各ＵＥセル固有識別情報が、構成されたアンテナポートに依存する、請求項３７に記載の装置。
【請求項３９】
前記第１の構成が周期的なＳＲＳ送信に対応し、前記第２の構成が非周期的なＳＲＳ送信に対応する、請求項３７に記載の装置。
【請求項４０】
前記第１の構成が、ダウンリンク制御情報（ＤＣＩ）フォーマット、ＤＣＩフォーマット中の非周期的なＳＲＳパラメータ、制御チャネルのタイプ、またはそれらの組合せのうちの１つまたは複数に基づく非周期的なＳＲＳ構成を備える、請求項３７に記載の装置。
【請求項４１】
制御チャネルの前記タイプが、レガシー制御チャネル、異なるリソース領域を利用する新しい制御チャネル、またはそれらの組合せのうちの１つまたは複数をさらに備える、請求項４０に記載の装置。
【請求項４２】
前記第２の構成が、ダウンリンク制御情報（ＤＣＩ）フォーマットに基づく非周期的なＳＲＳ構成、非周期ＳＲＳパラメータ、制御チャネルのタイプ、またはそれらの組合せのうちの１つまたは複数を備える、請求項３７に記載の装置。
【発明の詳細な説明】
【技術分野】
【０００１】
関連出願の相互参照
[0001]本出願は、その開示全体が参照により本明細書に明確に組み込まれる、２０１２年３月１９日に出願された「ENHANCED SOUNDING REFERENCE SIGNAL (SRS) OPERATION」と題する米国仮特許出願第６１／６１２，９４２号の米国特許法第１１９条（ｅ）項に基づく利益を主張する。
【０００２】
[0002]本開示の態様は、一般にワイヤレス通信システムに関し、より詳細には、サウンディング基準信号（sounding reference signal）の動作を拡張すること（enhancing）に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ダウンリンク）上ではＯＦＤＭＡを使用し、アップリンク（アップリンク）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様によれば、ＵＥは、第２のサウンディング基準信号（sounding reference signal）（ＳＲＳ）が第１のＳＲＳと同じタイプであり得るとき、また、第１のＳＲＳと第２のＳＲＳの両方が同じセル中で送信され得るとき、第１のＳＲＳと第２のＳＲＳとの間の衝突をどのように処理するかを判断する。ＵＥはまた、ＳＲＳのための受信した第１および第２の構成に基づいて第１のＳＲＳと第２のＳＲＳとを送信し得る。第１の構成は、第２の構成の第２のＵＥ固有セル識別情報（UE specific cell identification）とは異なる第１のＵＥ固有セル識別情報、および／または第２の構成の第２の電力オフセットとは異なる第１の電力オフセットを含む。
【０００６】
[0006]本開示の一態様によれば、ワイヤレス通信の方法が提示される。本方法は、第１のサウンディング基準信号（ＳＲＳ）のための第１の構成を受信することを含む。本方法はまた、第２のＳＲＳのための第２の構成を受信すること、第２のＳＲＳが、第１のＳＲＳと同じタイプであり、同じセル中で送信される、を含む。本方法は、第１のＳＲＳと第２のＳＲＳとの間の衝突をどのように処理するかを判断することをさらに含む。
【０００７】
[0007]本開示の別の態様によれば、ワイヤレス通信の方法が提示される。本方法は、第１のサウンディング基準信号（ＳＲＳ）のための第１の構成を受信することを含む。本方法はまた、第２のＳＲＳのための第２の構成を受信すること、第１の構成が、第２の構成の第２のＵＥ固有セル識別情報とは異なる第１のＵＥ固有セル識別情報、および／または第２の構成の第２の電力オフセットとは異なる第１の電力オフセットを備える、を含む。本方法は、第１のＳＲＳおよび／または第２のＳＲＳを送信することをさらに含む。
【０００８】
[0008]本開示のまた別の態様によれば、ワイヤレス通信のための装置が提示される。本装置は、第１のサウンディング基準信号（ＳＲＳ）のための第１の構成を受信するための手段を含む。本装置は、第２のＳＲＳのための第２の構成を受信するための手段、第２のＳＲＳが、第１のＳＲＳと同じタイプであり、同じセル中で送信される、をさらに含む。本装置はまた、第１のＳＲＳと第２のＳＲＳとの間の衝突をどのように処理するかを判断するための手段を含む。
【０００９】
[0009]本開示のさらにまた別の態様によれば、ワイヤレス通信のための装置が提示される。本装置は、第１のサウンディング基準信号（ＳＲＳ）のための第１の構成を受信するための手段を含む。本装置はまた、第２のＳＲＳのための第２の構成を受信するための手段、第１の構成が、第２の構成の第２のＵＥ固有セル識別情報とは異なる第１のＵＥ固有セル識別情報、および／または第２の構成の第２の電力オフセットとは異なる第１の電力オフセットを備える、を含む。本装置は、第１のＳＲＳおよび／または第２のＳＲＳを送信するための手段をさらに含む。
【００１０】
[0010]本開示の別の態様によれば、ワイヤレス通信のためのコンピュータプログラム製品が提示される。本コンピュータプログラム製品は、プログラムコードを記録した非一時的コンピュータ可読媒体を含む。プログラムコードは、第１のサウンディング基準信号（ＳＲＳ）のための第１の構成を受信するためのプログラムコードを含む。プログラムコードはまた、第２のＳＲＳのための第２の構成を受信するためのプログラムコード、第２のＳＲＳが、第１のＳＲＳと同じタイプであり、同じセル中で送信される、を含む。プログラムコードは、第１のＳＲＳと第２のＳＲＳとの間の衝突をどのように処理するかを判断するためのプログラムコードをさらに含む。
【００１１】
[0011]本開示のまた別の態様によれば、ワイヤレス通信のためのコンピュータプログラム製品が提示される。本コンピュータプログラム製品は、プログラムコードを記録した非一時的コンピュータ可読媒体を含む。プログラムコードは、第１のサウンディング基準信号（ＳＲＳ）のための第１の構成を受信するためのプログラムコードを含む。プログラムコードはまた、第２のＳＲＳのための第２の構成を受信するためのプログラムコード、第１の構成が、第２の構成の第２のＵＥ固有セル識別情報とは異なる第１のＵＥ固有セル識別情報、および／または第２の構成の第２の電力オフセットとは異なる第１の電力オフセットを備える、を含む。プログラムコードは、第１のＳＲＳおよび／または第２のＳＲＳを送信するためのプログラムコードをさらに含む。
【００１２】
[0012]本開示のさらにまた別の態様によれば、ワイヤレス通信のための装置が提示される。本装置は、メモリと、メモリに結合された（１つまたは複数の）プロセッサとを含む。（１つまたは複数の）プロセッサは、第１のサウンディング基準信号（ＳＲＳ）のための第１の構成を受信するように構成される。プロセッサは、第２のＳＲＳのための第２の構成を受信するようにさらに構成され、第２のＳＲＳは、第１のＳＲＳと同じタイプであり、同じセル中で送信される。プロセッサはまた、第１のＳＲＳと第２のＳＲＳとの間の衝突をどのように処理するかを判断するように構成される。
【００１３】
[0013]本開示のまた別の態様によれば、ワイヤレス通信のための装置が提示される。本装置は、メモリと、メモリに結合された（１つまたは複数の）プロセッサとを含む。プロセッサは、第１のサウンディング基準信号（ＳＲＳ）のための第１の構成を受信するように構成される。プロセッサはまた、第２のＳＲＳのための第２の構成を受信するように構成され、第１の構成は、第２の構成の第２のＵＥ固有セル識別情報とは異なる第１のＵＥ固有セル識別情報、および／または第２の構成の第２の電力オフセットとは異なる第１の電力オフセットを備える。プロセッサは、第１のＳＲＳおよび／または第２のＳＲＳを送信するようにさらに構成される。
【００１４】
[0014]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１５】
[0015]本開示の特徴、特性、および利点は、全体を通じて同様の参照符号が同様のものを指す図面とともに、以下に記載する発明を実施するための形態を読めばより明らかになろう。
【図面の簡単な説明】
【００１６】
【図１】[0016]ネットワークアーキテクチャの一例を示す図。
【図２】[0017]アクセスネットワークの一例を示す図。
【図３】[0018]ＬＴＥにおけるダウンリンクフレーム構造の一例を示す図。
【図４】[0019]ＬＴＥにおけるアップリンクフレーム構造の一例を示す図。
【図５】[0020]ユーザプレーンおよび制御プレーンのための無線プロトコルアーキテクチャの一例を示す図。
【図６】[0021]アクセスネットワーク中の発展型ノードＢおよびユーザ機器の一例を示す図。
【図７Ａ】[0022]本開示の態様に基づくＳＲＳ送信を示す図。
【図７Ｂ】本開示の態様に基づくＳＲＳ送信を示す図。
【図７Ｃ】本開示の態様に基づくＳＲＳ送信を示す図。
【図８】[0023]異なるアンテナポート構成を介してサウンディング基準信号を送信するための方法を示すブロック図。
【図９】[0024]例示的な装置中の異なるモジュール／手段／構成要素間のデータフローを示す概念データフロー図。
【図１０】[0025]例示的な装置中の異なるモジュール／手段／構成要素間のデータフローを示す概念データフロー図。
【発明を実施するための形態】
【００１７】
[0026]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１８】
[0027]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【００１９】
[0028]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２０】
[0029]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２１】
[0030]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２２】
[0031]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、Ｘ２インターフェース（たとえば、バックホール（backhaul））を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２３】
[0032]ｅノードＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２４】
[0033]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）と呼ばれることがある。より低い電力クラスのｅノードＢ２０８は、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２５】
[0034]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２６】
[0035]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２７】
[0036]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２８】
[0037]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２９】
[0038]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ダウンリンクＲＳ）を含む。ダウンリンクＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３０】
[0039]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３１】
[0040]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３２】
[0041]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３３】
[0042]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３４】
[0043]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３５】
[0044]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３６】
[0045]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３７】
[0046]図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３８】
[0047]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３９】
[0048]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００４０】
[0049]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４１】
[0050]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００４２】
[0051]ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４３】
[0052]アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４４】
[0053]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４５】
拡張サウンディング基準信号（ＳＲＳ）
[0054]ＬＴＥシステムにおける多地点協調（ＣｏＭＰ：coordinated multiple point）送信および受信を拡張し、サポートするための取り組みが進められてきた。ＣｏＭＰは、概して、異なる送信機または受信機の間の協調送信または受信を指す。協調スケジューリング／協調ビームフォーミング（ＣＳ／ＣＢ：coordinated scheduling/coordinated beamforming）、動的ポイント選択（ＤＰＳ：dynamic point selection）、および／またはコヒーレントまたは非コヒーレントジョイント送信（ＪＴ：joint transmission）など、様々なＣｏＭＰ方式が指定され得る。
【００４６】
[0055]ＣｏＭＰは、様々な展開シナリオにおいて使用され得る。たとえば、同種ネットワークでは、ＣｏＭＰは、同じマクロサイトのセルにわたって使用され得る。別の例として、同種ネットワークでは、ＣｏＭＰは、３つの近隣マクロサイトにわたって使用され得る。異種ネットワークでは、ＣｏＭＰは、マクロセルおよびピコセル／リモートラジオヘッド（ＲＲＨ）にわたって使用され得る。ある場合には、マクロセルおよびピコセル／ＲＲＨは異なるセルＩＤで構成される。別の場合には、マクロセルおよびピコセル／ＲＲＨは同じセルＩＤで構成される。同じセルＩＤで構成されたマクロセルおよびピコセルにわたるＣｏＭＰの使用は、物理セルＩＤへの依存性を低減し得る。
【００４７】
[0056]ワイヤレスシステムでは、アップリンクリンク適応、チャネル相反性（channel reciprocity）の下でのダウンリンクスケジューリング、および／またはＣｏＭＰ動作を管理することにおいて、サウンディング基準信号（ＳＲＳ）が使用され得ることを理解されたい。ＬＴＥリリース１０は、周期的なＳＲＳと非周期的なＳＲＳの両方をサポートする。ＬＴＥアップリンク（ＵＬ）において送信される基準信号は、ｅノードＢがチャネル推定を実行することを可能にし得る。すなわち、送信される基準信号は、ｅノードＢが測定を実行することおよび／またはチャネルを監視することを可能にし得る。たとえば、ｅノードＢは、周波数領域スケジューリングをサポートするために、測定を実行し、および／またはチャネルを監視し得る。
【００４８】
[0057]周期的なＳＲＳは、ＳＲＳ送信が無線リソース制御（ＲＲＣ）メッセージを介して構成解除されるまでの不確定持続時間の間の、ＵＥからの周期的なＳＲＳ送信を指す。周期的なＳＲＳは、セル固有ＳＲＳサブフレームのサブセットであるＵＥ固有周期ＳＲＳサブフレーム（UE-specific periodic SRS subframes）中で送信される。
【００４９】
[0058]非周期的なＳＲＳは、物理ダウンリンク制御チャネル（ＰＤＣＣＨ：physical downlink control channel）などのダウンリンク制御チャネルによってトリガされる非周期的なＳＲＳ送信を指す。非周期的なＳＲＳは、フォーマット０（１ビット）またはフォーマット４（２ビット）を利用するアップリンク許可（uplink grant）を介してトリガされ得る。さらに、非周期的なＳＲＳは、フォーマット１Ａ／２Ｂ／２Ｃを使用するダウンリンク許可（downlink grant）を介してトリガされ得る。一般に、非周期的なＳＲＳは、トリガに応答して１回送信され、（１つまたは複数の）ＵＥ固有非周期ＳＲＳサブフレーム（UE-specific aperiodic SRS subframe(s)）中で送信される。
【００５０】
[0059]ＳＲＳは、ダウンリンク動作とアップリンク動作とを管理することにおいて使用され得る。ダウンリンクＣｏＭＰの場合、ＳＲＳは、ＣｏＭＰセット管理、および／またはチャネル相反性に基づくダウンリンクスケジューリング（channel reciprocity based downlink scheduling）のために使用され得る。アップリンクＣｏＭＰの場合、ＳＲＳは、レート予測、電力制御、および／またはアップリンクＣｏＭＰセット管理のために使用され得る。
【００５１】
[0060]一般に、ＳＲＳ電力は、ＰＵＳＣＨ電力などのアップリンクチャネル電力に関連する。詳細には、単一の累積ループ（ｆ（ｉ））がアップリンクチャネルとＳＲＳとによって共有される。さらに、ＵＥは、ＳＲＳ動作のための電力オフセットとともにｅノードＢによって構成され得る。たとえば、非周期的なＳＲＳと周期的なＳＲＳとのために異なるオフセットが構成され得る。ＳＲＳは、所与のセル中のすべてのＵＥに共通の物理セルＩＤに関連付けられ得る。
【００５２】
[0061]ダウンリンクＣｏＭＰ動作とアップリンクＣｏＭＰ動作とのための異なる必要に対処するために拡張電力制御をサポートすることと、ＳＲＳのためのＵＥ固有セルＩＤを構成することとのために、ＳＲＳ動作を拡張するための取り組みが進行中である。拡張電力制御は、ダウンリンクのために１つおよびアップリンクのために１つの、２つの異なる電力オフセットなど、開ループベースのソリューション（open-loop based solution）を含み得る。拡張電力制御はまた、ダウンリンクのために１つおよびアップリンクのために１つの、２つのｆ（ｉ）関数など、閉ループベースのソリューション（closed-loop based solution）を含み得る。さらに、拡張電力制御は、開ループベースのソリューションと閉ループベースのソリューションとの組合せを含み得る。
【００５３】
[0062]本開示の態様は拡張ＳＲＳ動作を対象とする。一態様によれば、ダウンリンク動作を対象とするＳＲＳ送信およびアップリンク動作を対象とするＳＲＳ送信など、ＳＲＳ送信は異なるアンテナポートを使用し得る。詳細には、ＳＲＳ送信は、ダウンリンク動作のための別個のアンテナポート構成と、アップリンク動作のための別個の構成とを有し得る。その上、異なるアンテナポート構成は、同じ論理または仮想アンテナポート定義内の異なる数のアンテナポートを指すことがある。代替として、異なるアンテナポートは、ダウンリンク動作を対象とするＳＲＳとアップリンク動作を対象とするＳＲＳとのための異なる論理または仮想アンテナポートを指すことがある。異なるアンテナポートはまた、異なる数の論理または仮想アンテナポートを指すことがある。たとえば、１つのアンテナポートが、ダウンリンク動作を対象とするＳＲＳのために構成され得、２つのアンテナポートが、アップリンク動作を対象とするＳＲＳのために構成され得る。
【００５４】
[0063]ＵＥが、周期的または非周期的など、同じＳＲＳタイプを有するＳＲＳ送信のための２つ以上の異なる構成を受信したとき、受信したＳＲＳ構成のＳＲＳの送信は重複し、衝突し得る。場合によっては、一方のＳＲＳ構成はダウンリンクのためものであり得、他方のＳＲＳ構成はアップリンクのためものであり得る。さらに、各ＳＲＳ構成のＳＲＳ送信は同じセル中で送信され得る。第１のＳＲＳの送信と第２のＳＲＳの送信との間の潜在的衝突を処理するようにＵＥを構成することが望ましい。本開示は、２つ以上のＳＲＳ構成のＳＲＳ送信間の衝突を処理することを対象とする態様を含む。
【００５５】
[0064]図７Ａに、２つのＳＲＳ構成のＳＲＳ送信間の衝突の例を示す。図７Ａに示すように、ＵＥは、第１のＳＲＳ構成の第１のＳＲＳ送信と、第２のＳＲＳ構成の第２のＳＲＳ送信とを有し得る。この構成では、第１のＳＲＳ構成と第２のＳＲＳ構成は同じタイプである。さらに、図７Ａに示すように、特定の時間インスタンス７０２、７０４、および７０６において、第１のＳＲＳ送信と第２のＳＲＳ送信は衝突し得る。
【００５６】
[0065]一構成によれば、ＳＲＳ送信の潜在的衝突は誤構成（mis-configuration）として扱われる。すなわち、衝突は許されない。ＵＥ固有の実装形態は、複数のＳＲＳ送信の衝突を防ぐように設計され得る。より詳細には、そのＳＲＳ送信が衝突し得ると判断された場合、ＵＥは、ＳＲＳ構成のうちの１つまたは複数のスケジュールされた送信を変更し得る。
【００５７】
[0066]たとえば、本構成に基づいて、図７ＡのＵＥは、ＳＲＳ送信間に潜在的衝突があり得る特定の７０２、７０４、および７０６においてＳＲＳ送信が重複しないように、第１のＳＲＳ送信および／または第２のＳＲＳ送信のタイミングを変更し得る。すなわち、図７Ｂに示すように、ＵＥは、ＳＲＳ送信間に潜在的衝突があり得る特定の７０２、７０４および７０６において第１のＳＲＳ送信７１４が第２のＳＲＳ送信と重複しないように、第１のＳＲＳ送信７１４のタイミングを変更することによって潜在的衝突を緩和する。
【００５８】
[0067]別の構成によれば、潜在的衝突が判断されたとき、ＳＲＳ送信のうちの１つが優先度付けルールに基づいて保持され得る。優先度付け（prioritization）は、ＳＲＳがダウンリンクを対象とするのかアップリンクを対象とするのかなど、ＳＲＳの目的に基づいて定義され得る。優先度付けはＳＲＳパラメータにも基づき得る。ＳＲＳパラメータは、帯域幅、周期の長さ、電力オフセット、および／またはアンテナポートの数を含み得る。
【００５９】
[0068]たとえば、本構成に基づいて、潜在的衝突が検出されたとき、ＵＥは、第１のＳＲＳ送信および第２のＳＲＳ送信の優先度を判断し得る。第１のＳＲＳ送信および第２のＳＲＳ送信の優先度を判断した後に、ＵＥは、潜在的衝突を緩和するために、最高優先度をもつＳＲＳ送信のみを送信し得る。詳細には、図７Ｃに示すように、ＵＥは、第１のＳＲＳ送信と比較して第２のＳＲＳ送信がより高い優先度を有すると判断し得、したがって、ＳＲＳ送信間に潜在的衝突がある特定の時間７０２、７０４、および７０６において、ＵＥは第２のＳＲＳ構成のみを送信する。
【００６０】
[0069]ＳＲＳ構成の優先度は、様々なファクタに基づいて判断され得る。一構成では、より長い周期をもつＳＲＳ送信が保持され得る。前に説明したように、図７Ｃは、別のＳＲＳ構成のＳＲＳ送信と比較してより高い優先度を有する特定のＳＲＳ構成のＳＲＳ送信を保持する例を示す。図７Ｃの代替例では、第２のＳＲＳ送信と比較して第１のＳＲＳ送信がより長い周期を有するので、第１のＳＲＳ送信が保持され得る。
【００６１】
[0070]また別の構成では、より大きい電力オフセットをもつＳＲＳ送信が保持され得る。さらにまた別の構成では、最大数のアンテナポートをもつＳＲＳ送信が保持され得る。さらに、一構成では、最大帯域幅をもつＳＲＳ送信が保持され得る。
【００６２】
[0071]別の構成によれば、潜在的衝突が判断されたとき、両方のＳＲＳ送信が直交する場合、それらは保持され得る。直交性は、時間リソース（たとえば、サブフレーム）において、周波数領域において、コード領域（たとえば、異なるサイクリックシフト（cyclic shift））において、またはそれらの組合せで実現され得る。したがって、本構成では、両方のＳＲＳ構成が保持され得、２つ以上のＳＲＳ送信が異なるサブバンド、くし形フィルタ（comb filter）、またはサイクリックシフトを使用する場合、同じサブフレーム中での同時送信が可能にされ得る。しかしながら、２つのＳＲＳ構成が直交しないとき、ただ１つのＳＲＳ構成が上述の優先度付けルールに基づいて保持される。さらに、本構成によれば、両方のＳＲＳ構成を保持するという決定はＵＥの能力に依存し得る。すなわち、その決定は、クラスタリングされたＰＵＳＣＨリソース割当てまたは並列ＰＵＣＣＨおよびＰＵＳＣＨ動作と同様であり得る。
【００６３】
[0072]また別の構成によれば、ＳＣ−ＦＤＭＡ波形が各アンテナポートについて維持され得る場合、両方のＳＲＳ構成が保持され得る。詳細には、第１のＳＲＳ送信が、第２のアンテナポート構成の第２のＳＲＳ送信と比較してサイクリックシフトによって区別される第１のアンテナポートを割り当てられる場合、両方のＳＲＳ構成が保持され得る。
【００６４】
[0073]さらにまた別の構成によれば、よりフレキシブルな電力管理および動作のために、異なる電力制御レベルが異なるアンテナポートに適用され得る。一例として、異なるアンテナポートの間の電力分割は均一でないことがあり、ｅノードＢからのシグナリングに基づき得る。
【００６５】
[0074]ＳＲＳ送信の潜在的衝突をどのように緩和するかを判断することは、各セットのために構成されたアンテナポートの数にかかわらず、ＳＲＳ送信ごとに行われ得る。代替として、ＳＲＳ送信の潜在的衝突をどのように緩和するかを判断することは、アンテナポートごとに行われ得る。
【００６６】
[0075]周期的なＳＲＳおよび非周期的なＳＲＳは異なる目的で使用され得ることを理解されたい。たとえば、周期的なＳＲＳはダウンリンク動作のために使用され得、非周期的なＳＲＳはアップリンク動作のために使用され得、その逆も同様である。したがって、異なる目的のためのＳＲＳのフレキシブルな多重化のために、１つのＵＥのための周期的なＳＲＳと非周期的なＳＲＳとに対して異なるＵＥ固有セルＩＤが指定され得る。たとえば、セルＩＤ１が周期的なＳＲＳに割り当てられ得、セルＩＤ２が非周期的なＳＲＳに割り当てられ得る。さらに、セルＩＤは特定のアンテナポートに基づき得る。すなわち、各アンテナポートは異なるセルＩＤに関連付けられ得る。
【００６７】
[0076]非周期的なＳＲＳトリガリング（triggering）では、ＳＲＳパラメータの異なるセットが、ダウンリンク制御情報（ＤＣＩ：downlink control information）フォーマット、および／または非周期的なＳＲＳフィールドの値に基づいて構成され、トリガされ得る。たとえば、ＤＣＩフォーマット０は１ビットの非周期的なＳＲＳトリガリングを有し、ＤＣＩフォーマット４は２ビットの非周期的なＳＲＳトリガリングを有する。さらに、ＤＣＩフォーマット１Ａ／２Ｂ／２Ｃは１ビットの非周期的なＳＲＳトリガリングを有する。したがって、この例では、ＳＲＳパラメータの最高５つの異なるセット（ＤＣＩフォーマット０からの１つのセット、ＤＣＩフォーマット４からの３つのセット、およびＤＣＩフォーマット１Ａ／２Ｂ／２Ｃからの１つのセット）をトリガすることが可能である。その上、拡張ＰＤＣＣＨ（ｅ−ＰＤＣＣＨ：enhanced PDCCH）は、さらに、異なる非周期的なＳＲＳパラメータセットを用いて定義され得る。
【００６８】
[0077]一構成によれば、セルＩＤはＳＲＳパラメータセットの一部として含まれ得る。この構成では、トリガリングＤＣＩフォーマットおよび／または非周期的なＳＲＳフィールドの値、ならびに／あるいは、トリガリングがレガシーＰＤＣＣＨからのものであるのか拡張ＰＤＣＣＨからのものであるのかに基づいて、異なるセルＩＤが非周期的なＳＲＳのために使用され得る。別の構成によれば、電力オフセットが、異なる非周期的なＳＲＳセットについて別様に定義され得る。
【００６９】
[0078]セルＩＤおよび／または電力オフセットは、非周期的なＳＲＳトリガリングのためにＤＣＩ中の情報を使用して動的に設定され得る。たとえば、ＤＣＩはＰＵＳＣＨ送信に関連付けられないことがあり、そうではなく、ＤＣＩ中の情報フィールドのすべてが非周期的なＳＲＳパラメータを示すために使用され得るように、ＤＣＩ全体が非周期的なＳＲＳトリガリングに専用される。
【００７０】
[0079]図８に、異なるＳＲＳセットを構成するための方法８００を示す。ブロック８０２において、ＵＥは、第１のサウンディング基準信号（ＳＲＳ）のための第１の構成を受信する。ＵＥは、ブロック８０４において第２のＳＲＳのための第２の構成を受信する。本開示の一態様では、第１のＳＲＳと第２のＳＲＳは同じタイプのＳＲＳである。すなわち、第１のＳＲＳと第２のＳＲＳの両方が周期的なＳＲＳであり得、または第１のＳＲＳと第２のＳＲＳの両方が非周期的なＳＲＳであり得る。さらに、本態様では、第１のＳＲＳと第２のＳＲＳは同じセル中で送信される。本開示の別の態様では、第１の構成は、第２の構成の第２のＵＥ固有セル識別情報とは異なる第１のＵＥ固有セル識別情報を含み、および／または第１の構成は、第２の構成の第２の電力オフセットとは異なる第１の電力オフセットを含む。本開示のこの態様では、第１のＳＲＳは、第２のＳＲＳとは異なるタイプであり得る。たとえば、第１のＳＲＳは非周期的なＳＲＳであり得、第２のＳＲＳは周期的なＳＲＳであり得る。
【００７１】
[0080]最後に、ブロック８０６において、一構成では、ＵＥは、第１のＳＲＳと第２のＳＲＳとの間の潜在的衝突をどのように処理するかを判断する。ＵＥは、第１のＳＲＳと第２のＳＲＳが同じタイプのＳＲＳであるとき、潜在的衝突をどのように処理するかを判断し得る。衝突をどのように処理するかを判断することにおいて、ＵＥは衝突を誤構成として扱い得る。代替的に、衝突をどのように処理するかを判断することにおいて、ＵＥは、第１のＳＲＳおよび第２のＳＲＳの目的、第１のＳＲＳおよび第２のＳＲＳのパラメータ、および／またはＵＥの能力に基づいて、第１の構成または第２の構成を優先順位付けし（prioritize）得る。
【００７２】
[0081]一構成では、ＵＥ６５０は、ワイヤレス通信のために構成され、第１のＳＲＳのための第１の構成を受信するための手段と、第２のＳＲＳのための第２の構成を受信するための手段とを含む。本開示の一態様では、第１および第２の構成のための受信手段は、第１および第２の構成のための受信手段によって具陳された（recited）機能を実行するように構成されたコントローラ／プロセッサ６５９、メモリ６６０、受信プロセッサ６５６、送信機／受信機６５４、および／またはアンテナ６５２であり得る。ＵＥ６５０はまた、第１のＳＲＳと第２のＳＲＳとの間の衝突をどのように処理するかを判断するための手段を含むように構成される。本開示の一態様では、判断手段は、判断手段によって具陳された機能を実行するように構成されたコントローラ／プロセッサ６５９および／またはメモリ６６０であり得る。別の態様では、上述の手段は、上述の手段によって具陳された機能を実行するように構成された任意のモジュールまたは任意の装置であり得る。
【００７３】
[0082]図９は、例示的な装置９００中の異なるモジュール／手段／構成要素間のデータフローを示す概念データフロー図である。装置９００は、第１のＳＲＳのための第１の構成と第２のＳＲＳのための第２の構成とを示す（１つまたは複数の）信号９１０を受信する受信モジュール９０２を含む。一構成では、受信モジュール９０２は、第１の構成を受信するための第１のモジュールおよび第２の構成を受信するための第２のモジュールなど、２つの別個のモジュールであり得る（図示せず）。
【００７４】
[0083]本開示の一態様では、第１のＳＲＳと第２のＳＲＳが同じタイプであるとき、受信モジュール９０２は、経路９１２を介して第１の構成と第２の構成とを衝突モジュール９０４に送信する。衝突モジュール９０４は、第１のＳＲＳと第２のＳＲＳとの間の潜在的衝突をどのように処理するかを判断する。潜在的衝突をどのように処理するかを判断した後に、衝突モジュール９０４は、経路９１６を介して、潜在的衝突をどのように処理するかの判断に基づいて第１のＳＲＳおよび／または第２のＳＲＳを送信するように送信モジュール９０８を制御し得る。送信モジュール９０８は、信号９１８を介して第１のＳＲＳと第２のＳＲＳとを送信し得る。
【００７５】
[0084]本開示の別の態様では、第１のＳＲＳと第２のＳＲＳが異なるタイプである場合、受信モジュール９０２は、経路９１４を介して、第１のＳＲＳおよび／または第２のＳＲＳを送信するように送信モジュール９０８を制御し得る。送信モジュール９０８は、信号９１８を介して第１のＳＲＳと第２のＳＲＳとを送信し得る。
【００７６】
[0085]本装置は、上述のフローチャート図８中のプロセスのステップの各々を実行する追加のモジュールを含み得る。したがって、上述のフローチャート図８中の各ブロックは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７７】
[0086]図１０は、処理システム１０１４を採用する装置１０００のためのハードウェア実装形態の一例を示す図である。処理システム１０１４は、バス１０２４によって概略的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４、モジュール１００２、１００８、１０１２、およびコンピュータ可読媒体１００６によって表される１つまたは複数のプロセッサおよび／またはハードウェアモジュールを含む様々な回路を互いにリンクする。バス１０２４はまた、タイミングソース、周辺機器、電圧調整器、および電力管理回路など、様々な他の回路をリンクし得るが、これらの回路は当技術分野においてよく知られており、したがって、これ以上説明しない。
【００７８】
[0087]本装置は、トランシーバ１０１０に結合された処理システム１０１４を含む。トランシーバ１０１０は、１つまたは複数のアンテナ１０２０に結合される。トランシーバ１０１０は、伝送媒体を介して様々な他の装置と通信することを可能にする。処理システム１０１４は、コンピュータ可読媒体１００６に結合されたプロセッサ１００４を含む。プロセッサ１００４は、コンピュータ可読媒体１００６に記憶されたソフトウェアの実行を含む一般的な処理を担当する。ソフトウェアは、プロセッサ１００４によって実行されたとき、処理システム１０１４に、いずれかの特定の装置について説明した様々な機能を実行させる。コンピュータ可読媒体１００６はまた、ソフトウェアを実行するときにプロセッサ１００４によって操作されるデータを記憶するために使用され得る。
【００７９】
[0088]処理システムは、第１の受信モジュール１００２と第２の受信モジュール１００８とを含む。第１の受信モジュール１００２は、アップリンク動作を対象とする第１のサウンディング基準信号（ＳＲＳ）のための第１の構成を受信することができる。第２の受信モジュール１００８は、ダウンリンク動作を対象とする第２のＳＲＳのための第２の構成を受信することができる。第１の受信モジュール１００２および第２の受信モジュール１００８は、１つのモジュール（図示せず）であるか、または図１０に示すように別個のモジュールであり得る。一構成では、処理システムは衝突モジュール１０１２をも含む。衝突モジュール１０１２は、第１のＳＲＳと第２のＳＲＳとの間の潜在的衝突をどのように処理するかを判断する。それらのモジュールは、プロセッサ１００４中で動作し、コンピュータ可読媒体１００６中に常駐する／記憶された、ソフトウェアモジュールであるか、プロセッサ１００４に結合された１つまたは複数のハードウェアモジュールであるか、またはそれらの何らかの組合せであり得る。処理システム１０１４は、ＵＥ６５０の構成要素であり得、メモリ６６０、送信プロセッサ６６８、受信プロセッサ６５６、送信機／受信機６５４、アンテナ６５２、および／またはコントローラ／プロセッサ６５９を含み得る。
【００８０】
[0089]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００８１】
[0090]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８２】
[0091]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８３】
[0092]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８４】
[0093]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【００８５】
[0094]ＳＲＳ動作の拡張のための特定の実装形態は、添付の付録Ａに記載されている。付録Ａは、本明細書の一部を形成し、その全体が参照により本明細書に明確に組み込まれる。
【図１】
2015512580.tif 000003
【図２】
2015512580.tif 000004
【図３】
2015512580.tif 000005
【図４】
2015512580.tif 000006
【図５】
2015512580.tif 000007
【図６】
2015512580.tif 000008
【図７Ａ】
2015512580.tif 000009
【図７Ｂ】
2015512580.tif 000010
【図７Ｃ】
2015512580.tif 000011
【図８】
2015512580.tif 000012
【図９】
2015512580.tif 000013
【図１０】
2015512580.tif 000014
【国際調査報告】
2015512580.tif 000015
2015512580.tif 000016
2015512580.tif 000017
2015512580.tif 000018